(57)【要約】  【課題】  負荷および表示部の遠隔制御システムに関し、表示部の消費電力を軽減することを目的とする。【解決手段】負荷１〜ｎを操作する操作スイッチ１ｃおよび負荷の状態を示す表示部1ａを有した操作端末器１と、負荷が接続される制御端末器３と、操作端末器１と制御端末器３間を信号線で接続する伝送ユニット２とを備え、操作スイッチ１ｃと、表示部1ａと、制御端末器３とは、それぞれアドレスが付与されており、特に、表示部1ａを制御するための情報があった場合に、伝送ユニット２を介して対応する表示部1ａに制御情報を供給して、表示部1ａを制御を行って、省電力を図るシステムである。【選択図】図1
2013046327.tif 000002
【特許請求の範囲】
【請求項１】
負荷を操作する操作スイッチおよび前記負荷の状態を示す表示部を有した操作端末器と、前記負荷が接続される制御端末器と、前記操作端末器と前記制御端末器間を信号線で接続する伝送ユニットとを備え、
前記操作スイッチと、前記表示部と、前記制御端末器とは、それぞれアドレスが付与されており、前記負荷を制御するための情報があった場合には、前記伝送ユニットを介して対応する前記制御端末器に制御情報を供給して、前記負荷を制御する一方、
前記表示部を制御するための情報があった場合には、前記伝送ユニットを介して対応する表示部に制御情報を供給して、前記表示部の表示状態を制御することを特徴とする負荷および表示部の遠隔制御システム。
【請求項２】
前記操作端末器に、前記表示部の表示状態のＯＮ/ＯＦＦを切り替える表示スイッチを設けたことを特徴とする請求項１に記載の負荷および表示部の遠隔制御システム。
【請求項３】
前記請求項１または２に記載の負荷および表示部の遠隔制御システムにおいて、
タイマ手段をさらに設け、予め設定された前記表示部の表示状態のＯＮ/ＯＦＦスケジュールにしたがって、前記伝送ユニットを介して前記表示部の表示状態を制御するようにしたことを特徴とする負荷および表示部の遠隔制御システム。
【請求項４】
前記請求項１または２に記載の負荷および表示部の遠隔制御システムにおいて、
前記負荷の使用者の入退室情報を得るための手段をさらに設け、その入退室情報に基づいて、前記伝送ユニットを介して前記表示部の表示状態を制御するようにしたことを特徴とする負荷および表示部の遠隔制御システム。
【請求項５】
負荷を操作する操作スイッチと、前記負荷の状態を示す表示部と、前記表示部を制御する制御部と、人感センサとを具備し、使用者が前記人感センサの所定距離内に近づいたことを感知し、前記制御部により前記表示部の表示状態を制御することを特徴とする操作端末器。
【請求項６】
前記操作端末器に、前記人感センサの有効・無効を切り替える人感センサスイッチを設けたことを特徴とする請求項５に記載の操作端末器。
【請求項７】
前記請求項５または６に記載の操作端末器と、前記負荷が接続される制御端末器と、前記操作端末器と前記制御端末器間を信号線で接続する伝送ユニットとを備え、
前記操作スイッチと、前記人感センサと、前記制御端末器とは、それぞれアドレスが付与されており、
前記人感センサを制御するための情報があった場合には、前記伝送ユニットを介して対応する人感センサに制御情報を供給して、前記人感センサを制御することを特徴とする負荷および表示部の遠隔制御システム。
【発明の詳細な説明】
【技術分野】
【０００１】
本発明は、照明器具などの負荷を制御する操作端末器、並びに、負荷および表示部の遠隔制御システムに関するものである。
【背景技術】
【０００２】
従来、照明器具などの負荷のＯＮ/ＯＦＦを入力するスイッチを備えた操作端末器として、負荷がＯＮ状態のときには例えば赤色の、負荷がＯＦＦ状態のときには緑色のランプを点灯して、使用者が負荷の状態を視認できるように表示部を備えたものが知られている。
【０００３】
この種の操作端末器において、表示部は、使用者が負荷の状態を視認できるだけでなく、明かりの消えた暗い部屋等においても、スイッチの位置が使用者にわかるようになっている（特許文献１）。
【０００４】
一方で、負荷の監視や制御を上位側から行えるようにした負荷制御システムも知られており、このようなシステムではスイッチのＯＮ/ＯＦＦを含む情報を信号線により伝送し、この情報を用いて負荷をＯＮ/ＯＦＦする技術が知られている。（特許文献２）
【先行技術文献】
【特許文献】
【０００５】
【特許文献１】特開平８-９６６８１号公報
【特許文献２】特開２０１１-１００３６号公報
【発明の概要】
【発明が解決しようとする課題】
【０００６】
ところで、負荷状態を示す表示部は、使用者の不在時など明らかに負荷の状態を表示する必要がない場合でも常に点灯しており、オフィスや工場等の操作スイッチが多くあるところでは、表示部といえども、その消費電力がかさんでしまうという問題点があった。
【０００７】
そして、工場等においては、消費電力の観点から、守衛室等の遠隔位置から負荷自体の制御もさることながら、その負荷の状態を示す表示部を制御したいという要望もでている。
【０００８】
また、使用者が在室していないときはもとより、在室しているようなときでも、使用者が表示部の位置から離れているような場合もあり、このような時には使用者が在室していないと同様な問題が生じてしまう。
【０００９】
本発明は、上記の点に鑑みて発明したものであり、上述の問題点の是正や要望点を満足した操作端末器並びに、負荷および表示部の遠隔制御システムを提供することを目的とする。
【課題を解決するための手段】
【００１０】
上記課題を解決するために、
第１の発明における負荷および表示部の遠隔制御システムは、負荷を操作する操作スイッチおよび前記負荷の状態を示す表示部を有した操作端末器と、前記負荷が接続される制御端末器と、前記操作端末器と前記制御端末器間を信号線で接続する伝送ユニットとを備え、前記操作スイッチと、前記表示部と、前記制御端末器とは、それぞれアドレスが付与されており、前記負荷を制御するための情報があった場合には、前記伝送ユニットを介して対応する前記制御端末器に制御情報を供給して、前記負荷を制御する一方、前記表示部を制御するための情報があった場合には、前記伝送ユニットを介して対応する表示部に制御情報を供給して、前記表示部の表示状態を制御することを特徴とする。
【００１１】
第２の発明における負荷および表示部の遠隔制御システムは、第１の発明における操作端末器に、前記表示部の表示状態のＯＮ/ＯＦＦを切り替える表示スイッチを設けたことを特徴とする。
【００１２】
第３の発明における負荷および表示部の遠隔制御システムは、第１または第２の発明における負荷および表示部の遠隔制御システムにおいて、タイマ手段をさらに設け、予め設定された前記表示部の表示状態のＯＮ/ＯＦＦスケジュールにしたがって、前記伝送ユニットを介して前記表示部の表示状態を制御するようにしたことを特徴とする。
【００１３】
第４の発明における負荷および表示部の遠隔制御システムは、第１または第２の発明における負荷および表示部の遠隔制御システムにおいて、前記負荷の使用者の入退室情報を得る手段をさらに設け、その入退室に基づいて、前記伝送ユニットを介して前記表示部の表示状態を制御することを特徴とする。
【００１４】
第５の発明における操作端末器は、負荷を操作する操作スイッチと、前記負荷の状態を示す表示部と、前記表示部を制御する制御部と、人感センサとを具備し、使用者が前記人感センサの所定距離内に近づいたことを感知し、前記制御部により前記表示部の表示状態を制御することを特徴とする。
【００１５】
第６の発明における操作端末器は、第５の発明における操作端末器に、前記人感センサの有効・無効を切り替える人感センサスイッチを設けたことを特徴とする。
【００１６】
第７の発明における負荷および表示部の遠隔制御システムは、第５または第６の発明における操作端末器と、前記負荷が接続される制御端末器と、前記操作端末器と前記制御端末器間を信号線で接続する伝送ユニットとを備え、前記操作スイッチと、前記人感センサと、前記制御端末器とは、それぞれアドレスが付与されており、前記人感センサを制御するための情報があった場合には、前記伝送ユニットを介して対応する人感センサに制御情報を供給して、前記人感センサを制御することを特徴とする負荷および表示部の遠隔制御システム。
【発明の効果】
【００１７】
本願各請求項に係る発明によれば、操作端末器における表示部の待機時の消費電力を削減し、省エネに貢献することができる。
【図面の簡単な説明】
【００１８】
【図１】実施例1に係る負荷および表示部の遠隔制御システムの全体構成を示すブロック図である。
【図２】実施例１に係る操作端末器の、壁に取り付けた状態で操作方向から見た正面図である。
【図３】実施例１に係る操作端末器の回路ブロック図である。
【図４】実施例１に係るシーケンス図である。
【図５】実施例２に係る負荷および表示部の遠隔制御システムの全体構成を示すブロック図である。
【図６】実施例３に係る負荷および表示部の遠隔制御システムの全体構成を示すブロック図である。
【図７】実施例３に係る操作端末器の、壁に取り付けた状態で操作方向から見た正面図である。
【図８】実施例３に係るシーケンス図である。
【図９】実施例４に係る負荷および表示部の遠隔システムの全体構成を示すブロック図である。
【発明を実施するための形態】
【００１９】
以下、本発明を実施する形態につき、好ましい実施例により具体的に説明する。
【実施例１】
【００２０】
まず、実施例１について図に基づいて説明する。
【００２１】
図１は、照明器具などの負荷の入出力を操作する操作スイッチを備えた操作端末器に設
けられ、負荷および表示部の遠隔制御システムの全体構成を示すブロック図である。
【００２２】
同図に示すように、負荷および表示部の遠隔制御システムは、例えば照明器具や換気扇等からなる複数の負荷１〜ｎと、操作端末器１と、伝送ユニット２と、制御端末器３と、タイマ４と、電源５と、トランス６とから構成されている。そして、操作端末器１および制御端末器３およびタイマ４は、伝送ユニット２と２線式の信号線で接続されている。
【００２３】
操作端末器１は、例えば、伝送ユニットから離れた壁等に設置され、使用者が照明器具等の負荷についてＯＮ/ＯＦＦの操作を行う操作スイッチ１ｃと、負荷のＯＮ/ＯＦＦの状態を表示する表示部１ａと、その表示部のＯＮ/ＯＦＦの切り替えを行う表示スイッチ１ｂを備えている。図２にその操作端末器１について、壁に取り付けた状態で操作方向から見た正面図を示している。
【００２４】
表示部１ａは、例えば、操作スイッチ１ｃの両端に配置され、ＬＥＤを点灯させて制御対象の負荷の状態を表示させるものであって、いずれか一方を負荷がＯＮ状態のときに点灯させ、負荷がＯＦＦ状態であるときに、他方を点灯させる。さらに、負荷がＯＮ状態であるときに点灯するＬＥＤを赤色、負荷がＯＦＦ状態であるときに点灯するＬＥＤを緑色とすることによって、より視認しやすくすることができる。
【００２５】
表示部１ａの表示はＬＥＤを点灯されて行うことに限らず、液晶表示などあらゆる表示手段を用いることによって実現してもよい。
【００２６】
伝送ユニット２は、操作端末器１の操作スイッチ１ｃおよび表示部１ａ、並びに制御端末器３をアドレスによって対応づけ、それぞれを個別に認識することができ、操作スイッチ１ｃからの入力情報に応答し、制御端末器３を介して、負荷の制御を行うことができる。
【００２７】
制御端末器３内には、伝送ユニット２に接続される図示しないリレー制御部と、負荷に接続される図示しないリレーがそれぞれ配設されている。
【００２８】
タイマ４は、予め設定された表示部１ａの表示状態のＯＮ/ＯＦＦスケジュールにしたがって、伝送ユニット２へ制御要求を行うようになっている。
【００２９】
電源５は、伝送ユニット２およびトランス６に接続されており、伝送ユニット２は商用電源からの電源の供給を受けて駆動し、制御端末器３およびタイマ４は、トランス６により商用電源からの供給電力を制御端末器１の駆動に適するように変換した電源で駆動するようになっている。
【００３０】
次に、図３および図４を用いて負荷および表示部の遠隔制御システムの動作について説明する。図３は操作端末器１の回路ブロック図で、図４は、本実施例に係るシーケンス図である。
【００３１】
例えば、負荷がＯＦＦ状態のときに、使用者により操作端末器１の操作スイッチ１ｃが操作されると、制御部１ｄは、当該操作スイッチ１ｃに割り当てられたアドレスを図示しないアドレス記憶部から呼び出す。続いて、そのアドレス情報に基づく信号を生成し、この信号を送信部１ｇから伝送ユニット２に送信する。伝送ユニットは、伝送されたアドレス情報から該当するアドレスが設定された制御端末器３の図示しないリレー制御部へ信号を供給し、制御端末器３のリレーが閉成されて負荷がＯＮ状態になる。
【００３２】
また、これとは逆に負荷がＯＮ状態のとき、使用者により操作端末器１の操作スイッチ１ｃが操作されると、上記と同様に伝送ユニットを介し、制御端末器のリレーが開成されて負荷がＯＦＦ状態になる。
【００３３】
このようにして、負荷のＯＮ/ＯＦＦ制御を行うように構成している。
【００３４】
また、操作端末器1の制御部１ｄは、受信部１ｆが伝送ユニットから受信した伝送信号からリレーのアドレスと負荷の動作情報を取り出し、アドレス記憶部に記憶された各操作スイッチ１ｃに割り当てたアドレスの何れかと一致すれば、負荷の動作情報に基づいて表示部１ａに点灯信号を出力して表示部１ａの発光色を変更するようになっている。具体的には、アドレスに対応する負荷がＯＮ状態を示す動作情報を含んでいれば、表示部１ａを赤色に発光させ、また、負荷がＯＦＦ状態を示す動作情報を含んでいれば、表示部１ａを緑色に発光させる。これにより、操作スイッチの遠隔に設置された負荷の状態を使用者が視認することができる。
【００３５】
また、タイマ４には、それぞれの表示部１ａを制御する日時や、その表示状態のＯＮ/ＯＦＦの内容をあらかじめ設定したタイムスケジュールを設定しておく。（例えば、月曜日から金曜日の９時から１７時は、表示部の表示状態をＯＮにしておくスケジュールを設定しておく）
また、本システムにはタイマ手段としての、タイマ機能を有しており、タイマ４にてスケジュールを設定するようになっている。
【００３６】
このタイマ４は、あらかじめ設定されたスケジュールにしたがって、表示部１ａの表示状態をＯＮにする時間に至ると、伝送ユニット２へ表示部１ａの表示状態をＯＮにする制御を要求する信号を出力する。伝送ユニット２は、該当する表示部１ａの表示状態に対応する表示部制御アドレスを取り出し、表示部１ａの表示状態をＯＮにする信号を出力する。その表示部制御アドレスに該当する操作端末器１は受信部１ｆを介して信号を受信すると、制御部１ｄが、表示部１ａの表示状態をＯＮにする。
【００３７】
さらに、表示部の表示状態をＯＦＦとする時間に至ると、タイマ４は、伝送ユニット２へ表示部１ａの表示状態をＯＦＦにする制御要求をし、伝送ユニット２は、該当する表示部１ａの表示状態をＯＦＦにする信号を出力するようになっている。
【００３８】
このようにして、タイマ４に予め設定しておいたスケジュールにしたがって、表示部のＯＮ/ＯＦＦを切り替えることができ、省エネに貢献できる。
【００３９】
また、負荷を使用している使用者自身が、表示部１ａの点灯は不要であると判断した場合、制御端末器1の表示スイッチ１ｂをＯＦＦにすると、表示スイッチ１ｂは、制御部１ｄへ制御を要求し、表示部１ａの表示状態をＯＦＦにすることもできる。
【００４０】
このように、不在時など、表示部１ａの点灯が必要ない場合、操作スイッチから離間した遠隔から表示部１ａの表示状態をＯＦＦにすることで、待機時の消費電力を削減し、省エネに貢献することができる。さらに、使用者自身が、表示部をＯＮ、ＯＦＦできることで、利便性も向上する。
【実施例２】
【００４１】
次に実施例２につき、説明する。図５は、実施例２に係る負荷および表示部の遠隔制御システムの全体構成を示すブロック図である。
【００４２】
前述の実施例１で説明したと同一構成部には同一符号を付して説明を省略し、異なる構成部についてのみ説明する。
【００４３】
符号７は、入退室管理システムであり、ＩＣカードなどで従業者の入退室が管理されているような場合には、その入退室の情報を利用することができる。
【００４４】
この場合、例えば、入退室管理システム７から入室する情報が出力されると、入退室管理システム７と伝送ユニット２に接続される、図示しない接点連動が、伝送ユニット２へ表示部２０ａをＯＮにする制御を要求する信号を出力する。伝送ユニット２は、該当する表示部の負荷に対応する表示部制御アドレスと表示部の表示状態をＯＮにする信号を出力し、該当する操作端末器の制御部は、表示部２０ａの表示状態をＯＮにする。また、退室の情報が出力されると、伝送ユニット２へ表示部２０ａの表示状態をＯＦＦにする制御要求をし、伝送ユニット２は、該当する表示部の表示状態をＯＦＦにする信号を出力する。
【００４５】
このように、入退室管理システムを用いて、表示部２０ａを制御することにより、タイマを用いた場合に比べ適用性があり、負荷の使用が変則的な場合においても、使用者の利便性を下げることなく、省エネを図ることができる。さらに、使用者の在室状況に応じて表示部の点灯を行うため、タイマを用いた場合に比べ、さらなる省エネを図ることができる。
【実施例３】
【００４６】
次に、実施例３について説明する。
【００４７】
図６は、その実施例に係る負荷および表示部の遠隔制御システムの全体構成を示すブロック図で、図７は操作端末器１の壁に取り付けた状態で操作方向から見た正面図である。
【００４８】
前述の実施例と同様に同一構成部には同一符号を付して異なる構成部についてのみ説明する。
【００４９】
符号３０ｈは人感センサであり、操作端末器１に内蔵されている。さらに、操作端末器３０には、人感センサ３０ｈのＯＮ／ＯＦＦを入力する人感センサスイッチ３０ｉを備え、この人感センサには制御アドレスを割り当てられている。人感センサ３０ｈは、例えば、赤外線照射等により構成される。この人感センサ３０ｈにより操作端末器１の近傍に人がいるかどうかを判断し、人が近傍にいる場合のみ、表示部３０ａの表示状態をＯＮにするよう、操作端末器１の図示しない制御部３０ｄに制御要求をし、表示部３０ａの表示状態をＯＮにする。
【００５０】
また、使用者が人感センサ３０ｈの有効・無効を、人感センサスイッチ３０ｉによって切り替えることも可能である。
【００５１】
図８にそのシーケンス図を示している。同図に示すように、人感センサ３０ｈが所定距離内に赤外線照射による熱線を感知したときに、表示部３０ａへＯＮ制御要求をし、表示部３０ａの表示状態をＯＮにするようになっている。また、人感センサ３０ｈが熱線を感知しないときには、表示部３０ａの表示状態をＯＦＦにするようになっている。
【００５２】
前述のように、使用者が照明器具等の負荷を制御しようと操作端末器１に近づいたときのみ、表示部３０ａの表示状態をＯＮにするようにでき、待機時の消費電力を削減し、省エネに貢献することができる。さらに、人感センサスイッチ３０ｉを設けたことにより、人感センサの頻度や、表示部３０ａの確認頻度等の状況に合わせて、人感センサのＯＮ/ＯＦＦの変更を行うことで、省エネでありながらも、利便性を考慮したシステムとすることが可能となる。
【実施例４】
【００５３】
次に実施例４について説明する。図９は、その実施例に係る負荷および表示部の遠隔制御システムの全体構成を示すブロック図である。
【００５４】
人感センサ４０ｈに、アドレスを付与し、伝送ユニットが個別に識別できるようになっている。
【００５５】
符号８は人感センサ用タイマであり、複数ある人感センサ４０ｈを制御する日時や、そのＯＮ/ＯＦＦの制御内容を予めタイムスケジュールを設定しておく。そして、その人感センサ４０ｈのＯＮ/ＯＦＦスケジュールにしたがって、伝送ユニット２へ制御要求を行う。
【００５６】
人感センサ用タイマ８は、あらかじめ設定された人感センサ４０ｈをＯＮにする時間が来ると、伝送ユニット２へ人感センサ４０ｈをＯＮにする制御を要求する信号を出力する。伝送ユニット２は、該当する人感センサ４０ｈに対応する人感センサ４０ｈの制御アドレスを取り出し、人感センサ４０ｈをＯＮにする信号を出力する。その人感センサ制御アドレスに該当する操作端末器１は図示しない受信部４０ｆを介して信号を受信すると、図示しない制御部４０ｄが、人感センサ４０ｈをＯＮにする。
【００５７】
さらに、人感センサ４０ｈをＯＦＦにする時間になると、人感センサ用タイマ８は、伝送ユニット２へ人感センサ４０ｈをＯＦＦにする制御要求をし、伝送ユニット２は、該当する人感センサ４０ｈをＯＦＦにする信号を出力する。
【００５８】
このようにして、人感センサ用タイマ８に予め設定しておいたスケジュールにしたがって、人感センサ４０ｈのＯＮ/ＯＦＦを切り替えることができる。
【符号の説明】
【００５９】
１          操作端末器
１ａ        表示部
１ｂ        表示スイッチ
１ｃ        操作スイッチ
１ｄ        制御部
１ｅ        電源部
１ｆ        受信部
１ｇ        送信部
２          伝送ユニット
３          制御端末器
４          タイマ
５          電源
６          トランス
７          入退室管理システム
８          人感センサ用タイマ
２０        第２の実施形態に係る操作端末器
２０ａ      表示部
２０ｂ      表示スイッチ
２０ｃ      操作スイッチ
３０        第３の実施形態に係る操作端末器
３０ａ      表示部
３０ｃ      操作スイッチ
３０ｈ      人感センサ
３０ｉ      人感センサスイッチ
４０        第４の実施形態に係る操作端末器
４０ａ      表示部
４０ｃ      操作スイッチ
４０ｈ      人感センサ
【図１】
2013046327.tif 000003
【図２】
2013046327.tif 000004
【図３】
2013046327.tif 000005
【図４】
2013046327.tif 000006
【図５】
2013046327.tif 000007
【図６】
2013046327.tif 000008
【図７】
2013046327.tif 000009
【図８】
2013046327.tif 000010
【図９】
2013046327.tif 000011